(57)【特許請求の範囲】
【請求項１】
羽根車を取り付けられた回転軸と、前記羽根車を回転自在に収納したポンプケーシングと、前記ポンプケーシングの上側に水密に連通された揚水管とを備えた立軸ポンプであって、
前記立軸ポンプは、当該立軸ポンプが設置される躯体に所定の間隔を隔てて設けられた少なくとも２つの円弧状の躯体側支持部と前記立軸ポンプに設けられたポンプ側支持部とを有する中間支持装置を備え、
前記躯体側支持部とポンプ側支持部とは、僅かな隙間を介して対向して、上下方向におけるスライド移動を許容するとともに、前記回転軸の半径方向の移動を規制され、回転軸中心からスライド移動する部分までの距離が前記回転軸中心から前記ポンプケーシングの最大外周までの距離より長く、
前記ポンプケーシングは、前記躯体側支持部のない部分を通過する部分であって、前記回転軸中心からの距離が前記回転軸中心からスライド移動する部分までの距離よりも長い部分を有する立軸ポンプ。
【請求項２】
前記中間支持装置は、前記躯体側支持部と前記ポンプ側支持部との相対位置を調整する位置調整機構を備える請求項１に記載の立軸ポンプ。
【請求項３】
前記躯体側支持部が前記立軸ポンプの周方向に沿って設けられている請求項１又は２に記載の立軸ポンプ。
【請求項４】
前記躯体側支持部は上広がりのテーパー形状を有している請求項１〜３の何れか一項に記載の立軸ポンプ。
【請求項５】
前記中間支持装置は、前記ポンプ側支持部の前記立軸ポンプの周方向における長さが、前記躯体側支持部の前記立軸ポンプの周方向における長さよりも短く設定されている請求項１〜４の何れか一項に記載の立軸ポンプ。
【請求項６】
前記立軸ポンプの揚水管は、管部材をフランジを介して接続して構成され、前記立軸ポンプとは別部材に構成されたポンプ側支持部が前記フランジ部に固定されている請求項１〜５の何れか一項に記載の立軸ポンプ。
【請求項７】
立軸ポンプの固有振動数と共振する際の振動モードのうち、変位が最も大きい振動モードの腹の部分に前記中間支持装置が設けられている請求項１〜６の何れか一項に記載の立軸ポンプ。
【請求項８】
請求項１〜７の何れか一項に記載の立軸ポンプの据付方法であって、
前記立軸ポンプを前記躯体に据付ける際に、前記ポンプ側支持部との相対位置を調整する位置調整機構を用いて、前記立軸ポンプの設置位置及び前記躯体側支持部と前記ポンプ側支持部との相対位置を調整する工程を含む立軸ポンプの据付方法。
【請求項９】
請求項１〜７の何れか一項に記載の立軸ポンプの製造方法であって、
前記立軸ポンプの固有振動数に関する振動モードに基づいて前記ポンプ側支持部を設ける位置を決定する立軸ポンプの製造方法。
【請求項１０】
羽根車を取り付けられた回転軸と、前記羽根車を回転自在に収納したポンプケーシングと、前記ポンプケーシングの上側に水密に連通された揚水管と、立軸ポンプが設置される躯体に設けられた躯体側支持部と前記立軸ポンプに設けられたポンプ側支持部とを有する中間支持装置を備えた立軸ポンプの据付方法であって、
前記中間支持装置は、所定の間隔を隔てて設けられた少なくとも２つの円弧状の前記躯体側支持部と前記ポンプ側支持部との上下方向におけるスライド移動を許容するとともに前記回転軸の半径方向の移動を規制するものであり、
前記ポンプケーシングの、前記回転軸中心からの距離が前記回転軸中心からスライド移動する部分までの距離より長い部分を、前記躯体側支持部のない部分で通過させる工程と、
前記立軸ポンプをポンプ井の開口から下方に向かって前記揚水管が垂下するように前記ポンプ井の開口の前記躯体に設置する工程と、
前記躯体側支持部と前記ポンプ側支持部とが、僅かな隙間を介して対向するように調整する工程とを有する立軸ポンプの据付方法。
【発明の詳細な説明】
【技術分野】
【０００１】
本発明は、羽根車を取り付けられた回転軸と、前記羽根車を回転自在に収納したポンプケーシングと、前記ポンプケーシングの上側に水密に連通された揚水管とを備えた立軸ポンプであって、前記立軸ポンプは、当該立軸ポンプが設置される躯体に設けられた躯体側支持部と前記立軸ポンプに設けられたポンプ側支持部とを有する中間支持装置を備えた立軸ポンプ、立軸ポンプの設置方法、及び、立軸ポンプの製造方法に関する。
【背景技術】
【０００２】
この種の立軸ポンプは、一般的に比較的長い揚水管を備え、ポンプ井の開口等の立軸ポンプの設置箇所から揚水管を下方に吊下した状態で設置される。このように、上部で支えるポンプ構造ではポンプが設置箇所を支点として大きく振動したり、地震力に対して設置箇所の剛性が不足することがある。このため、中間支持装置を備え、揚水管の中間部を中間支持装置により躯体側に支持して、設置箇所にかかる力を減らしたり、振動を抑制する場合がある。従来、この種の中間支持装置を備えた立軸ポンプとして、躯体と一体となった躯体側支持部と立軸ポンプの揚水管の部分に設けられるポンプ側支持部とを備え、躯体側支持部とポンプ側支持部とをボルト等により固定して、立軸ポンプの揚水管の部分を躯体に対して一体化したものが知られている。
また、特許文献１には、立軸ポンプにおいて、躯体側に固定された固定板と揚水管に押さえつけられる抑え板と固定板と抑え板との間に設けられた防振装置とを備えた吐出口にかかる力を受ける推力受け装置が開示されている。
【先行技術文献】
【特許文献】
【０００３】
【特許文献１】特開２０００−３４５９８９号公報
【発明の概要】
【発明が解決しようとする課題】
【０００４】
上記の立軸ポンプにおいて、メンテナンス等の際に、設置箇所の下方に吊下した揚水管を含めポンプを躯体から引き抜く必要が生じる場合がある。上記のように、躯体側支持部とポンプ側支持部とをボルト等により固定した場合、ポンプを躯体から引き抜く際に、躯体側支持部とポンプ側支持部とのボルト等による固定を解除する必要があるが、一般的に、揚水管の中間部はポンプ井の開口部からも底部からも離間しており、固定を解除するには、高所足場の設置や安全対策が必要となり、解除作業は非常に困難である。
また、特許文献１に記載のように、躯体側に固定された固定板と揚水管に押さえつけられる抑え板と固定板と抑え板との間に設けられた防振装置とを備えた推力受け装置により、揚水管の中間部を支持する場合も、ポンプを躯体から引き抜く際に、抑え板による抑えを解除するとともに、抑え板の間をポンプが引き抜けるだけ広く離間する必要があり、上記と同様に解除が困難な場合がある。
本発明は、上記の問題に鑑みてなされたものであり、中間部を確実に支持しつつ、メンテナンスの容易な立軸ポンプを提供することを目的とする。
【課題を解決するための手段】
【０００５】
本発明による立軸ポンプは、羽根車を取り付けられた回転軸と、前記羽根車を回転自在に収納したポンプケーシングと、前記ポンプケーシングの上側に水密に連通された揚水管とを備えた立軸ポンプであって、前記立軸ポンプは、当該立軸ポンプが設置される躯体に所定の間隔を隔てて設けられた少なくとも２つの円弧状の躯体側支持部と前記立軸ポンプに設けられたポンプ側支持部とを有する中間支持装置を備え、前記躯体側支持部とポンプ側支持部とは、僅かな隙間を介して対向して、上下方向におけるスライド移動を許容するとともに、前記回転軸の半径方向の移動を規制され、回転軸中心からスライド移動する部分までの距離が前記回転軸中心から前記ポンプケーシングの最大外周までの距離より長く、前記ポンプケーシングは、前記躯体側支持部のない部分を通過する部分であって、前記回転軸中心からの距離が前記回転軸中心からスライド移動する部分までの距離よりも長い部分を有するように構成されている。
【０００６】
上記構成により、躯体側支持部とポンプ側支持部とは、回転軸の半径方向への移動が規制されているので、躯体側支持部とポンプ側支持部とにより、立軸ポンプの中間部を確実に支持することができる。一方、躯体側支持部とポンプ側支持部とが上下方向におけるスライド移動を許容されるので、メンテナンス等のために立軸ポンプを引き抜く際には、躯体側支持部とポンプ側支持部とをスライドさせて引き抜くことができる。また、回転軸中心からスライド移動する部分までの距離が回転軸中心からポンプケーシングの最大外周までの距離より長くなるように構成されているので、ポンプケーシングが躯体側支持部に引っかかることなく立軸ポンプを引き抜くことができる。
上述の結果、中間部を確実に支持しつつ、メンテナンスの容易な立軸ポンプを提供することができる。
【０００７】
上記構成において、前記中間支持装置は、前記躯体側支持部と前記ポンプ側支持部との相対位置を調整する位置調整機構を備えると好適である。
【０００８】
上記構成により、躯体側支持部とポンプ側支持部との相対位置を調整することができる。このため、例えば、躯体側支持部とポンプ側支持部とを十分に離間させた状態で立軸ポンプを設置し、その後、躯体側支持部とポンプ側支持部とを適切な相対位置とすることができ、立軸ポンプの設置が容易になる。
【０００９】
上記構成において前記躯体側支持部が前記立軸ポンプの周方向に沿って設けられていると好適である。
【００１０】
上記構成により、躯体側支持部が立軸ポンプの周方向に沿って設けられるので、立軸ポンプを周方向に沿って支持して、回転軸の半径に沿った方向の移動を確実に規制することができる。
【００１１】
上記構成において、前記躯体側支持部は上広がりのテーパー形状を有していると好適である。
【００１２】
上記構成により、躯体側支持部における上広がりのテーパー形状が、立軸ポンプを設置する際のガイドとして機能する。この結果、立軸ポンプを容易に適切な位置に配置することができる。
【００１３】
上記構成において、前記中間支持装置は、前記ポンプ側支持部の前記立軸ポンプの周方向における長さが、前記躯体側支持部の前記立軸ポンプの周方向における長さよりも短く設定されていると好適である。
【００１４】
本構成により、ポンプ側支持部は躯体側支持部に常に対向、つまり立軸ポンプの周方向における端部よりも内側に位置することとなる。この結果、立軸ポンプを設置する際に、躯体側支持部に対する立軸ポンプの相対位置が多少適切な位置からずれた場合であっても、ポンプ側支持部が躯体側支持部に対向することとなり、中間支持装置を適切に機能させることができる。この結果、立軸ポンプの設置に高い精度が求められることが無くなり、立軸ポンプの設置が容易になる。
【００１５】
上記構成において、前記立軸ポンプの揚水管は、管部材をフランジを介して接続して構成され、前記立軸ポンプとは別部材に構成されたポンプ側支持部が前記フランジ部に固定されていると好適である。
【００１６】
上記構成により、立軸ポンプとは別部材に構成されたポンプ側支持部を、比較的強度の高いフランジ部に固定するので、従来の立軸ポンプに設計変更等をすることなく、中間支持装置を備えることができる。
【００１７】
上記構成において、立軸ポンプの固有振動数と共振する際の振動モードのうち、変位が最も大きい振動モードの腹の部分に前記中間支持装置が設けられていると好適である。
【００１８】
本発明の立軸ポンプの据付方法は、上記の立軸ポンプの据付方法であって、前記立軸ポンプを前記躯体に据付ける際に、前記ポンプ側支持部との相対位置を調整する位置調整機構を用いて、前記立型ポンプの設置位置及び前記躯体側支持部と前記ポンプ側支持部との相対位置を調整する工程を含む。
【００１９】
上記構成により、位置調整機構を用いて、前記立軸ポンプの設置位置及び前記躯体側支持部と前記ポンプ側支持部との相対位置を調整する工程を含むので、例えば、躯体側支持部とポンプ側支持部とをある程度離間させた状態で立軸ポンプを設置し、その後、躯体側支持部とポンプ側支持部とを適切な相対位置とすることができ、立軸ポンプの設置が容易になる。
【００２０】
本発明の立軸ポンプの製造方法は、上記の立軸ポンプの製造方法であって、前記立軸ポンプの固有振動数に関する振動モードに基づいて前記ポンプ側支持部を設ける位置を決定する。
【００２１】
上記構成により、立軸ポンプの固有振動数に関する振動モードに基づいてポンプ側支持部を設ける位置を決定するので、例えば、振動による移動量が大きい振動モードの腹の部分若しくは振動モードの腹の部分に近接した位置にポンプ側支持部を設けることにより、立軸ポンプを確実に支持し、振動を抑制することができる。
【００２２】
本発明の立軸ポンプの据付方法は、羽根車を取り付けられた回転軸と、前記羽根車を回転自在に収納したポンプケーシングと、前記ポンプケーシングの上側に水密に連通された揚水管と、立軸ポンプが設置される躯体に設けられた躯体側支持部と前記立軸ポンプに設けられたポンプ側支持部とを有する中間支持装置を備えた立軸ポンプの据付方法であって、前記中間支持装置は、所定の間隔を隔てて設けられた少なくとも２つの円弧状の前記躯体側支持部と前記ポンプ側支持部との上下方向におけるスライド移動を許容するとともに前記回転軸の半径方向の移動を規制するものであり、前記ポンプケーシングの、前記回転軸中心からの距離が前記回転軸中心からスライド移動する部分までの距離より長い部分を、前記躯体側支持部のない部分で通過させる工程と、前記立軸ポンプをポンプ井の開口から下方に向かって前記揚水管が垂下するように前記ポンプ井の開口の前記躯体に設置する工程と、前記躯体側支持部と前記ポンプ側支持部とが、僅かな隙間を介して対向するように調整する工程とを有する。
【図面の簡単な説明】
【００２３】
【図１】本発明に係る立軸ポンプの全体図である。
【図２】本発明に係る立軸ポンプにおける中間支持装置の断面図である。
【図３】図２のIII−III断面図である。
【図４】位置調整機構を示す図である。
【図５】本発明に係る立軸ポンプにおける中間支持装置の斜視図である。
【図６】本発明に係る立軸ポンプにおける中間支持装置の斜視図である。
【図７】本発明の別実施形態に係る中間支持装置の断面図である。
【図８】種々の振動モードを示す模式図であり、（ａ）は一次振動、（ｂ）は二次振動、（ｃ）は三次振動、（ｄ）は四次振動を示す模式図である。
【発明を実施するための形態】
【００２４】
以下に本発明の実施の形態を図面に基づいて説明する。
図１は、本発明の立軸ポンプＰを示す全体図である。この立軸ポンプＰは例えば、コンクリート製のポンプ井Ａに設けられる。図１に示すように、立軸ポンプＰは、下端側に羽根車１０１と羽根車１０１を取り付けられた回転軸１０２と、羽根車１０１を回転自在に収納したポンプケーシング１０３と、ポンプケーシング１０３の下側（上流側）に水密に連通された吸込管１０７と、ポンプケーシング１０３の上側（下流側）に水密に連通され上下方向に延びる揚水管１０４と、揚水管１０４の上側（下流側）に水密に連通された吐出管１０５とを備える。回転軸１０２は揚水管１０４内に図示しない軸受けにより、回転自在に設けられている。
【００２５】
図１に示すように、立軸ポンプＰはポンプ井Ａの開口から下方に向かって揚水管１０４が垂下された状態で、ポンプ井Ａの開口Ａａの躯体に設置されている。揚水管１０４の上方（ポンプ井の開口の周囲）に架台１０８が設けられ、この架台に例えばモータ等の原動機が設けられる。原動機の出力軸１００と回転軸１０２の上端側とが接続され、原動機の回転により回転軸１０２及び羽根車１０１が回転される。羽根車１０１の回転により、吸込管１０７から吸い込まれた水が揚水管１０４に揚水され、吐出管１０５から排出される。
【００２６】
本実施形態において、揚水管１０４は、複数の直管部材１０４a及び中間軸受管１０４
ｂをそれぞれの直管部材１０４a及び中間軸受管部材１０４ｂの端部に設けられたフラン
ジ１０４ｃを介して接続することにより構成されている。中間軸受管１０４ｂは内部に回転軸３を回転自在に支持する軸受（図示せず）を備える。
【００２７】
図１及び２に示すように、この立軸ポンプＰは、立軸ポンプＰの中間部（本実施形態においては揚水管１０４）を支持する中間支持装置１０を備える。この中間支持装置１０は、立軸ポンプＰが設置される躯体Ｋ（本実施形態においてはポンプ井Ａの内壁）に設けられた躯体側支持具２（本発明の躯体側支持部に相当）と立軸ポンプに設けられたポンプ側支持具３（本発明のポンプ側支持部に相当）とを備える。
【００２８】
図２及び３に示すように、躯体側支持具２は、躯体Ｋの一例としてのポンプ井Ａの内壁に固定される躯体側取付部材２１と、躯体側取付部材２１に取り付けられる躯体側規制部材２２とを有する。
躯体側取付部材２１は、ポンプ井Ａの内壁に固定される固定部２３と、固定部２３から立軸ポンプＰ側に延び後述する躯体側規制部材２２の支持部２６が取付けられる取付部２４とを備える。固定部２３は、例えばケミカルアンカー等によりポンプ井Ａの内壁に固定される。固定部２３には後述する対向部２７の孔部２７１に挿通されるタイロッド２３１が例えば溶接等により立設置されている。本実施形態では、タイロッド２３１は上下方向に沿って３箇所に設けられている。また、取付部２４にはボルト２４２が挿通される長孔２４１が設けられている。本実施形態では長孔２４１は上下方向に沿って４箇所に形成されている。
【００２９】
図２及び３に示すように、躯体側規制部材２２は、躯体側規制部２５と、躯体側規制部２５を支持する支持部２６とを備える。
躯体側規制部２５は、立軸ポンプＰの外周部に円弧状に配置されるとともに上下方向に延びる規制面２５１と、規制面２５１の上縁から上方へ向かうほど拡径するようにテーパー状に延びる上側テーパー面２５２と、規制面２５１の下縁から下方へ向かうほど拡径するようにテーパー状に延びる下側テーパー面２５３とを有する。躯体側規制部２５の規制面２５１の裏面には、周方向に沿って補強用のリブ２５４が立設されている。
【００３０】
図２及び３に示すように、支持部２６は固定部２３に対向して延びる対向部２７と、基端部側が取付部２４に取り付けられるとともに立軸ポンプＰ側に延びる被取付部２８とを備える。被取付部２８の先端側（立軸ポンプ側）に躯体側規制部２５が設けられている。
【００３１】
図２及び３に示すように、対向部２７には孔部２７１が形成され、タイロッド２３１が挿通されている。当該タイロッド２３１には対向部２７の両側にナット２３２が設けられている。孔部２７１は、タイロッド２３１に対向して上下方向に３箇所設けられている。また、被取付部２８には、長孔２４１に対向する上下方向の４箇所に孔部２８１が設けられている。図２及び３に示すように、それぞれの長孔２４１と孔部２８１とに亘ってボルト２４２が挿通されナット２４３が締結されている。これにより、躯体側規制部材２２が躯体側取付部材２１を介してポンプ井Ａの内壁に支持される。
【００３２】
図４に示すように、ボルト２４２とナット２４３との締結を緩め、タイロッド２３１に締結されたボルト２３２（図２を参照）の締結位置を変更することにより、躯体側規制部材２２が長孔２４１に沿って移動する。これにより、躯体側規制部２５の規制面２５１と後述するポンプ側規制部３１の規制面３１１との相対位置を調整することができる。このように、長孔２４１及びタイロッド２３１は本発明の位置調整機構として機能する。
【００３３】
なお、本実施形態においては、互いに対向する一対の躯体側規制部材２２が設けられている。また、それぞれの躯体側規制部材２２は一対の支持部２６を有する。このように、躯体側支持具２の躯体側規制部２５が立軸ポンプＰの周方向に沿って設けられている。
【００３４】
図２及び３に示すように、ポンプ側支持具３は、フランジ１０４ｃに取付けられるポンプ側取付部３２とポンプ側規制部３１とを備える。
ポンプ側取付部３２はフランジ１０４ｃの径方向に延在するとともに、フランジ１０４ｃに沿って円弧状に延びている。ポンプ側取付部３２の径方向外側で周方向の両端部には、所定の周方向端部に亘ってポンプ側規制部３１が一対、周方向に９０°離れた位置に設けられている。ポンプ側規制部３１は上下方向に延びるとともに、ポンプ側取付部３２に沿って、円弧状に延びている。
【００３５】
図２及び３に示すように、ポンプ側取付部３２の径方向内側部分には、フランジ１０４ｃの孔部に対応して孔部３２２が形成され、ポンプ側取付部３２の孔部３２２及びフランジ１０４ｃの孔部に亘ってボルト３２３及びナット３２４を締結して共締することにより、ポンプ側取付部３２がフランジ１０４ｃに固定される。
【００３６】
なお、ポンプ側取付部３２の上面及び下面には補強用のリブ３２５，３２６が立設されている。本実施形態においては、リブ３２５はポンプ側取付部３２の幅方向（径方向）の略全域に亘って設けられている。また、リブ３２６は、フランジ１０４ｃの邪魔にならないように、フランジ１０４ｃよりも径方向外側において。フランジ１０４ｃに沿って周方向に延在している。
【００３７】
上記のとおり、ポンプ側規制部３１がポンプ側取付部３２により、立軸ポンプＰ側に支持されている。本実施形態において、一対のポンプ側取付部３２が設けられ、それぞれのポンプ側取付部材３２に一対のポンプ側規制部３１が設けられている。
なお、本実施形態において、回転軸１０２の中心からスライド移動する部分までの距離Ｌａが、回転軸１０２からポンプケーシング１０３の最大外周までの距離Ｌｂより長く設定されている。ここで、距離Ｌａは、回転軸１０２の中心から躯体側規制部２５の規制面２５１までの距離である。躯体側規制面２５１とポンプ側規制面３１１とが当接している場合は、回転軸１０２の中心からポンプ側規制部３１の規制面３１１までの距離と略等しくなる。
なお、回転軸１０２からポンプケーシング１０３の最大外周までの距離Ｌｂは、立軸ポンプＰを設置、取り外しするときに、躯体側規制部２５の規制面２５１を通過する部分の寸法である。例えば、本実施例のように躯体側の規制面２５１が円弧状で形成された場合には、規制面２５１の無い部分を通過する部分（例えば、取り付けフランジ１１０）の回転軸１０２からの距離は、距離Ｌａよりも長くてもよい。つまり、躯体側規制部２５を通過して立軸ポンプＰを引き抜くことができる形状であればよい。
【００３８】
図２に示すように、躯体側規制部２５の規制面２５１とポンプ側規制部３１の規制面３１１とが当接又は僅かな隙間を介して対向する。これにより、立軸ポンプＰは、上下方向（回転軸１０２の長手方向）にスライド移動が許容される。
【００３９】
また、本実施形態では、図２に示すように、躯体側支持具２とポンプ側支持具３とが円弧状に配置され、躯体側支持具２の周方向長さがポンプ側支持具３の周方向長さよりも長く設定されている。このため、躯体側支持具２とポンプ側支持具３とを対応させた状態において、躯体側支持具２がポンプ側支持具３の周方向における両端部を越えて延在する。つまり、それぞれのポンプ側規制部材３１が躯体側規制部材２２の躯体側規制部２５の周方向における端部よりも内側に存在する。言い換えると、ポンプ側規制部材３１は、躯体側規制部材２２に常に対向する。
【００４０】
上記の構成により、図５及び６に示すように、この中間支持装置１０において、躯体側支持具２の躯体側規制部２５とポンプ側支持具３のポンプ側規制部３１とは、上下方向においてスライド移動が許容される。一方、ポンプ井Ａの内壁に固定された躯体側支持具２の躯体側規制部２５とポンプ側支持具３のポンプ側規制部３１とが当接することにより、回転軸１０２の半径方向への移動が規制される。従って、立軸ポンプＰはポンプ井の開口から下方に向かって揚水管１０４が垂下され設置された状態において、揚水管１０４が回転軸１０２の半径方向に移動しないように支持される。一方、例えばメンテナンス等のために、立軸ポンプＰをポンプ井Ａから引き抜く必要がある場合には、図６に示すように、躯体側支持具２の躯体側規制部２５とポンプ側支持具のポンプ側規制部３１とは、上下方向においてスライド移動が許容されるので、中間支持装置１０と干渉することなく、容易に立軸ポンプＰを引き抜くことができる。また、回転軸１０２の中心からスライド移動する部分までの距離Ｌａが、回転軸１０２からポンプケーシング１０３など、中間支持装置１０より下の立軸ポンプＰの外周までの距離Ｌｂより長く設定されているので、立軸ポンプＰを引き抜く際にポンプケーシング１０３などが躯体側規制部２５に引っかかることなく引き抜くことができる。
【００４１】
以下、この立軸ポンプＰの設置方法の一例について説明する。立軸ポンプＰの設置に先立ち位置調整機構（長孔２４１及びタイロッド２３１）により、躯体側支持具２の躯体側規制部２５をポンプ井Ａの内壁側に引退させておく（図４の実線を参照）。つまり、対向する躯体側規制部同士の間隔を広げておく。上記の状態において、立軸ポンプＰを例えばクレーン（図示はせず）等により、ポンプ井Ａの内部に吊り下げて、対向する躯体側規制部２５同士の間において、適切な回転軸１０２の半径方向位置となるよう位置調整をしつつ、上下方向位置についてはポンプ側規制部３１の規制面３１１が躯体側規制部２５の規制面２５１に対向する位置となるように位置調整をする。この状態において、立軸ポンプＰの上方部分が、ポンプ井Ａの開口部の周囲に設置された状態となる。なお、この際、上側テーパー面２５２及び下側テーパー面２５３がガイドとなり、躯体側規制部２５が据付の邪魔をすることが無く、ポンプ側規制部３１の規制面３１１を適切な位置に配置することができる。
【００４２】
その後、位置調整機構により、躯体側支持具２の躯体側規制部２５をポンプ井Ａの内壁側からポンプ側に突出させる（図４の２点差線を参照）。これにより、躯体側規制部３１の規制面３１１とポンプ側規制部２５の規制面２５１が接触又は僅かな隙間を隔てて対向する状態となり、立軸ポンプＰの設置が完了する。上記のように、立軸ポンプＰを躯体Ｋに据付ける際に、位置調整機構を用いて、立軸ポンプＰの設置位置及び躯体側支持具２とポンプ側支持具３の相対位置を調整する工程が行なわれる。なお、位置調整機構とテーパ面は、立軸ポンプＰの据付時の振れを吸収するだけでなく立軸ポンプＰの製造上の誤差を吸収する役割も有しており、製造コスト削減の効果も有る。
また、ポンプ側規制部３１と躯体側規制部２５との間には、僅かな隙間がある方が、立軸ポンプＰの設置及び取り外しの作業が容易になる。
【００４３】
［別実施形態］
（１）上記の実施形態において、躯体側支持具２に位置調整機構を設ける場合を例に説明したが、位置調整機構をポンプ側支持具３に設けても良い。また、位置調整機構は必ずしも設けなくてもよい。なお、上記実施形態のように、躯体側支持具２に位置調整機構を設けると、位置調整は動くことのない躯体側で行なうことができ、位置調整作業が容易に行なえるより良い形態である。
【００４４】
（２）上記の実施形態において、一対の躯体側支持具２を立軸ポンプＰの周方向に沿って設ける場合を例に説明したが上記の例に限られるものではない。例えば、環状の躯体側支持具２を設けても良く、三以上の躯体側支持具２を立軸ポンプＰの周方向に沿って設けてもよい。また、周方向に沿って設けられた躯体側支持具２が、上下方向（軸方向）にずれていても良い。なお、躯体側支持具２を周方向に沿って同じ高さに一対設けることが、コストの削減及び良好な支持を兼ね備えた最良の形態である。
【００４５】
（３）上記実施形態において、規制面２５１の上縁から上方へ向かうほど拡径するようにテーパー状に延びる上側テーパー面２５２と、規制面２５１の下縁から下方へ向かうほど拡径するようにテーパー状に延びる下側テーパー面２５３とを有する場合を例に説明したが、必ずしも上側テーパー面２５２及び下側テーパー面２５３を備えなくてもよい。例えば、図７に示すように、上側テーパー面２５２のみを有したり、下側テーパー面２５３のみを有するなど、上側テーパー面２５２及び下側テーパー面２５３の何れか一方のみを有してもよいし、上側テーパー面２５２及び下側テーパー面２５３を有さず、規制面２５１のみを有してもよい。
なお、上記実施形態のように、上下にテーパー面を備えると、立軸ポンプＰの据付及び引き抜きの際に、立軸ポンプＰが半径方向に振れたとしても、振れを吸収することができ、軸方向への移動を良好にガイドできる最良の形態である。
【００４６】
（４）上記実施形態において、躯体側支持具２の周方向長さがポンプ側支持具３の周方向長さよりも長く設定されている場合を例に説明したが、周方向長さを同一に設定してもよく、ポンプ側支持具３の周方向長さの方を長く設定してもよい。
【００４７】
（５）上記実施形態において、揚水管１０４を複数の直管部材１０４a及び中間軸受管１
０４ｂを、フランジ１０４ｃを介して接続することにより構成する場合を例に説明したが、一体ものの直管部材で揚水管１０４を構成してもよい。この場合、別体で構成されたポンプ側支持具３を例えば溶接等により、揚水管１０４にとりつけてもよい。また、予め、揚水管１０４と一体にポンプ側支持具３を形成しておいてもよい。
【００４８】
（６）上記実施形態において、ポンプ側規制部３１は、１つのポンプ取付部３２の周方向に１８０°離れた位置に一対設ける場合で説明したが、１２０°離れた位置に３箇所など、角度や数は適宜変更可能である。
上記実施形態において、ポンプ側規制面３１１は、１つのポンプ側規制部３１の周方向に９０°離れた位置に一対設ける場合で説明したが、９０°に亘る１つのポンプ側規制面３１１や、４５°毎に３箇所など、角度や数は適宜変更可能である。
なお、９０°離れた位置に設けると、径方向の変位を均一に支持することができるとともに、ポンプ側規制面３１１の数を減らすことができるより良い形態である。
【００４９】
（７）上記の実施形態において、ポンプ側支持具３の設置位置を決定するに際し、立軸ポンプＰの固有振動数に関する振動モードに基づいて決定することができる。具体的には、図７に示すように、立軸ポンプＰは中間支持装置１０を備えない場合、上部の据付部を固定端、下部のポンプ部を自由端として、振動を生じ一次振動（図７（ａ））、二次振動（図７（ｂ））、三次振動（図７（ｃ））、四次振動（図７（ｄ））等により、振動の節及び腹の位置が異なる。そこで、立軸ポンプＰの固有振動数と共振する際の振動モードを把握し、例えば変位が最も大きい振動モードの腹の部分にポンプ側支持具３を設けることにより、立軸ポンプＰを確実に支持し、振動を抑制することができる。なお、フランジ１０４ｃにポンプ側支持具３を設ける場合等、必ずしも振動モードの腹の部分にポンプ側支持具３を設けることができない場合がある。この場合は、振動モードを考慮して、振動モードの腹に近接するフランジ１０４ｃにポンプ側支持具３を設けるとよい。
【産業上の利用可能性】
【００５０】
本発明は、立軸ポンプ、立軸ポンプの設置方法、及び、立軸ポンプの製造方法に利用可能伊である。
【符号の説明】
【００５１】
２        躯体側支持具（躯体側支持部）
３        ポンプ側支持具（ポンプ体側支持部）
１０      中間支持装置
２１      躯体側取付部材
２２      躯体側規制部材
２５      躯体側規制部
３１      ポンプ側規制部
３２      ポンプ側取付部
２５１    規制面
３１１    規制面
【図１】
0006053296.tif 000002
【図２】
0006053296.tif 000003
【図３】
0006053296.tif 000004
【図４】
0006053296.tif 000005
【図５】
0006053296.tif 000006
【図６】
0006053296.tif 000007
【図７】
0006053296.tif 000008
【図８】
0006053296.tif 000009